(57)【要約】【課題】複数色により生成される混色の色味のバランスを崩すことなく濃度ムラを補正する。【解決手段】混色比情報に基づいて画像データの色変換処理を行なう色変換部１１０、階調値毎に対して設定されている主走査方向及び副走査方向の複数の測定位置において当該測定位置毎の濃度の測定値からなる測定値情報を色毎に取得する測定値情報取得部１２１、混色比情報に基づき目標値を補正して階調値毎に対する補正目標値を色毎に算出する補正目標値算出部１２２、補正目標値と測定値情報とに基づいて階調値毎に対して設定されている主走査方向及び副走査方向の各測定位置における濃度の補正値を色毎に算出する補正値算出部１２３、色変換部により色変換処理された画像データの各画素の各色の濃度値を前記補正値算出部により算出された色毎の濃度の補正値に基づいて補正する補正部１２４、を備えた画像処理装置１００。【選択図】図４
2010256764.tif 000002
【特許請求の範囲】
【請求項１】
複数の色において階調値毎に対して設定されている目標値を前記色毎に記憶する記憶部と、
前記階調値毎に対して設定されている主走査方向及び副走査方向の複数の測定位置において、当該測定位置毎の濃度の測定値からなる測定値情報を前記色毎に取得する測定値情報取得部と、
前記階調値毎に複数色の比が設定されている混色比情報に基づき前記目標値を補正して、前記階調値毎に対する補正目標値を前記色毎に算出する補正目標値算出部と、
前記補正目標値と前記測定値情報とに基づいて、前記階調値毎に対して設定されている主走査方向及び副走査方向の各測定位置における濃度の補正値を前記色毎に算出する補正値算出部と、
画像データの各画素の各色の濃度値を、前記補正値算出部により算出された前記色毎の濃度の補正値に基づいて補正する補正部と、
を備えた画像処理装置。
【請求項２】
予め設定された複数の階調値において、当該階調値毎に複数色の比が設定されている混色比情報を有し、当該混色比情報に基づいて画像データの色変換処理を行なう色変換部をさらに備え、
前記補正部は、
前記色変換部により色変換処理された画像データの各画素の各色の濃度値を、前記補正値算出部により算出された前記色毎の濃度の補正値に基づいて補正する、
請求項１に記載の画像処理装置。
【請求項３】
前記補正値算出部は、
前記階調値毎の補正目標値と前記階調値毎に対して設定されている主走査方向及び副走査方向の各測定位置における濃度の測定値との差分値を前記色毎に算出し、
当該色毎の差分値を、前記階調値毎に対して設定されている主走査方向及び副走査方向の各測定位置における前記色毎の濃度の補正値として算出する、
請求項１又は２に記載の画像処理装置。
【請求項４】
前記補正目標値算出部は、
前記混色比情報に基づいて、前記階調値毎に対して設定されている目標値をそれぞれ調整するための調整値を前記色毎に算出し、
前記階調値毎に対して設定されている目標値に前記調整値を乗算して、前記階調値毎に対する補正目標値を前記色毎に算出する、
請求項１から３のいずれか一項に記載の画像処理装置。
【請求項５】
前記補正目標値算出部は、
前記測定値情報に基づいて、前記階調値毎の階調平均値を色毎に算出し、
前記階調値毎に各色の目標値と最も近い前記階調平均値の色を基準色として決定し、
当該階調値毎の基準色を基準として、前記混色比情報に基づいて、前記階調値毎に対して設定されている目標値をそれぞれ調整するための調整値を前記色毎に算出する、
請求項４に記載の画像処理装置。
【請求項６】
前記補正目標値算出部は、
前記階調値毎に予め設定された基準色を基準として、前記混色比情報に基づいて、前記階調値毎に対して設定されている目標値をそれぞれ調整するための調整値を前記色毎に算出する、
請求項４に記載の画像処理装置。
【請求項７】
前記階調値毎に対して設定されている目標値をそれぞれ調整するための調整値を色毎に算出するための調整値情報の入力を受け付ける入力部を備え、
前記補正目標値算出部は、
前記入力部から前記調整値情報が入力された場合、
前記調整値情報に基づいて、前記階調値毎に対して設定されている目標値をそれぞれ調整するための調整値を前記色毎に算出し、前記階調値毎に対して設定されている目標値に前記調整値を乗算して、前記階調値毎に対する補正目標値を前記色毎に算出する、
請求項１から３のいずれか一項に記載の画像処理装置。
【請求項８】
前記補正目標値算出部は、
前記階調値毎に対する補正目標値において、隣接する階調値の補正目標値との関係が、同一又は逆転関係となる場合、１階調値以上の差が発生するように前記補正目標値に補正を行なう、
請求項１から７のいずれか一項に記載の画像処理装置。
【請求項９】
前記測定値情報は、
同一階調値のパッチ画像が前記主走査方向及び副走査方向の各測定位置それぞれに配置された補正チャート画像が用紙上に形成された前記色毎の補正チャート紙において、
当該補正チャート紙毎に前記主走査方向及び副走査方向の各測定位置のパッチ画像の濃度が測定値として測定されたものである、
請求項１から８のいずれか一項に記載の画像処理装置。
【請求項１０】
前記補正部は、
前記色変換部により色変換処理された画像データの各画素の前記主走査方向及び副走査方向の位置に対応する各色の濃度の補正値を、前記階調値毎に設定されている主走査方向及び副走査方向の各測定位置における各色の濃度の補正値を用いた線形補間処理を実行して算出する、
請求項１から９のいずれか一項に記載の画像処理装置。
【請求項１１】
同一階調値のパッチ画像が前記主走査方向及び副走査方向の各測定位置それぞれに配置された補正チャート画像が用紙上に形成された前記色毎の補正チャート紙において、
当該補正チャート紙毎に前記主走査方向及び副走査方向の各測定位置のパッチ画像の濃度を測定値として測定し、当該測定結果を測定値情報として前記色毎に前記測定値情報取得部に出力する測定部を備える、
請求項１から１０のいずれか一項に記載の画像処理装置。
【請求項１２】
同一階調値のパッチ画像が前記主走査方向及び副走査方向の各測定位置それぞれに配置された補正チャート画像を用紙上に形成し、当該用紙を補正チャート紙として前記色毎に出力する画像形成部と、
請求項１から１１のいずれか一項に記載の画像処理装置と、
を備えた画像形成装置。
【請求項１３】
階調値毎に対して設定されている主走査方向及び副走査方向の複数の測定位置において、当該測定位置毎の濃度の測定値からなる測定値情報を前記色毎に取得する測定値情報取得工程と、
前記階調値毎に複数色の比が設定されている混色比情報に基づき、前記色毎に前記階調値毎に対して設定されている目標値を補正して、前記階調値毎に対する補正目標値を前記色毎に算出する補正目標値算出工程と、
前記補正目標値と前記測定値情報とに基づいて、前記階調値毎に対して設定されている主走査方向及び副走査方向の各測定位置における濃度の補正値を前記色毎に算出する補正値算出工程と、
画像データの各画素の各色の濃度値を、前記補正値算出工程により算出された前記色毎の濃度の補正値に基づいて補正する補正工程と、
を含む画像処理方法。
【発明の詳細な説明】
【技術分野】
【０００１】
本発明は、画像処理装置、画像形成装置及び画像処理方法に関する。
【背景技術】
【０００２】
近年、複写機やプリンタ等の画像形成装置では、用紙に画像形成された出力物の画像の主走査方向又は副走査方向に濃度ムラ（濃度傾き）が生じるという問題がある。この濃度ムラの要因としては、レーザユニット等の光書込装置の取付位置の傾き、光路長の変化、レンズの歪、感光体ドラムの帯電状況や取付位置の傾き等であることが知られている。
【０００３】
そこで、画像の濃度ムラを補正する技術として、例えば、回転する像担持体上の回転方向に、回転方向と直行する方向にずらされた複数個所に同一濃度パッチを生成し、生成されたパッチの濃度値を測定し、測定した濃度値とパッチの濃度階調値との対応関係を構築し、当該対応関係に基づいて入力する階調値の変換を行なって、γテーブルを補正することが開示されている（特許文献１、２参照）。
【先行技術文献】
【特許文献】
【０００４】
【特許文献１】特開２００７−２６４３７１号公報
【特許文献２】特開２００７−２６４２６４号公報
【発明の概要】
【発明が解決しようとする課題】
【０００５】
しかしながら、Ｃ（シアン）、Ｍ（マゼンダ）、Ｙ（イエロー）、Ｋ（ブラック）の色毎に画像の濃度ムラ補正を実施した場合、これら４色の混合比のバランスを崩すことがある。その結果、グレーバランスや色味のバランスが崩れるという問題が生じている。
【０００６】
本発明の課題は、上記問題に鑑みて、複数色により生成される混色の色味のバランスを崩すことなく濃度ムラを補正することである。
【課題を解決するための手段】
【０００７】
請求項１に記載の発明は、複数の色において階調値毎に対して設定されている目標値を前記色毎に記憶する記憶部と、前記階調値毎に対して設定されている主走査方向及び副走査方向の複数の測定位置において、当該測定位置毎の濃度の測定値からなる測定値情報を前記色毎に取得する測定値情報取得部と、前記階調値毎に複数色の比が設定されている混色比情報に基づき前記目標値を補正して、前記階調値毎に対する補正目標値を前記色毎に算出する補正目標値算出部と、前記補正目標値と前記測定値情報とに基づいて、前記階調値毎に対して設定されている主走査方向及び副走査方向の各測定位置における濃度の補正値を前記色毎に算出する補正値算出部と、画像データの各画素の各色の濃度値を、前記補正値算出部により算出された前記色毎の濃度の補正値に基づいて補正する補正部と、を備えた画像処理装置である。
【０００８】
請求項２に記載の発明は、請求項１に記載の画像処理装置において、予め設定された複数の階調値において、当該階調値毎に複数色の比が設定されている混色比情報を有し、当該混色比情報に基づいて画像データの色変換処理を行なう色変換部をさらに備え、前記補正部は、前記色変換部により色変換処理された画像データの各画素の各色の濃度値を、前記補正値算出部により算出された前記色毎の濃度の補正値に基づいて補正する。
【０００９】
請求項３に記載の発明は、請求項１又は２に記載の画像処理装置において、前記補正値算出部は、前記階調値毎の補正目標値と前記階調値毎に対して設定されている主走査方向及び副走査方向の各測定位置における濃度の測定値との差分値を前記色毎に算出し、当該色毎の差分値を、前記階調値毎に対して設定されている主走査方向及び副走査方向の各測定位置における前記色毎の濃度の補正値として算出する。
【００１０】
請求項４に記載の発明は、請求項１から３のいずれか一項に記載の画像処理装置において、前記補正目標値算出部は、前記混色比情報に基づいて、前記階調値毎に対して設定されている目標値をそれぞれ調整するための調整値を前記色毎に算出し、前記階調値毎に対して設定されている目標値に前記調整値を乗算して、前記階調値毎に対する補正目標値を前記色毎に算出する。
【００１１】
請求項５に記載の発明は、請求項４に記載の画像処理装置において、前記補正目標値算出部は、前記測定値情報に基づいて、前記階調値毎の階調平均値を色毎に算出し、前記階調値毎に各色の目標値と最も近い前記階調平均値の色を基準色として決定し、当該階調値毎の基準色を基準として、前記混色比情報に基づいて、前記階調値毎に対して設定されている目標値をそれぞれ調整するための調整値を前記色毎に算出する。
【００１２】
請求項６に記載の発明は、請求項４に記載の画像処理装置において、前記補正目標値算出部は、前記階調値毎に予め設定された基準色を基準として、前記混色比情報に基づいて、前記階調値毎に対して設定されている目標値をそれぞれ調整するための調整値を前記色毎に算出する。
【００１３】
請求項７に記載の発明は、請求項１から３のいずれか一項に記載の画像処理装置において、前記階調値毎に対して設定されている目標値をそれぞれ調整するための調整値を色毎に算出するための調整値情報の入力を受け付ける入力部を備え、前記補正目標値算出部は、前記入力部から前記調整値情報が入力された場合、前記調整値情報に基づいて、前記階調値毎に対して設定されている目標値をそれぞれ調整するための調整値を前記色毎に算出し、前記階調値毎に対して設定されている目標値に前記調整値を乗算して、前記階調値毎に対する補正目標値を前記色毎に算出する。
【００１４】
請求項８に記載の発明は、請求項１から７のいずれか一項に記載の画像処理装置において、前記補正目標値算出部は、前記階調値毎に対する補正目標値において、隣接する階調値の補正目標値との関係が、同一又は逆転関係となる場合、１階調値以上の差が発生するように前記補正目標値に補正を行なう。
【００１５】
請求項９に記載の発明は、請求項１から８のいずれか一項に記載の画像処理装置において、前記測定値情報は、同一階調値のパッチ画像が前記主走査方向及び副走査方向の各測定位置それぞれに配置された補正チャート画像が用紙上に形成された前記色毎の補正チャート紙において、当該補正チャート紙毎に前記主走査方向及び副走査方向の各測定位置のパッチ画像の濃度が測定値として測定されたものである。
【００１６】
請求項１０に記載の発明は、請求項１から９のいずれか一項に記載の画像処理装置において、前記補正部は、前記色変換部により色変換処理された画像データの各画素の前記主走査方向及び副走査方向の位置に対応する各色の濃度の補正値を、前記階調値毎に設定されている主走査方向及び副走査方向の各測定位置における各色の濃度の補正値を用いた線形補間処理を実行して算出する。
【００１７】
請求項１１に記載の発明は、請求項１から１０のいずれか一項に記載の画像処理装置において、同一階調値のパッチ画像が前記主走査方向及び副走査方向の各測定位置それぞれに配置された補正チャート画像が用紙上に形成された前記色毎の補正チャート紙において、当該補正チャート紙毎に前記主走査方向及び副走査方向の各測定位置のパッチ画像の濃度を測定値として測定し、当該測定結果を測定値情報として前記色毎に前記測定値情報取得部に出力する測定部を備える。
【００１８】
請求項１２に記載の発明は、同一階調値のパッチ画像が前記主走査方向及び副走査方向の各測定位置それぞれに配置された補正チャート画像を用紙上に形成し、当該用紙を補正チャート紙として前記色毎に出力する画像形成部と、請求項１から１１のいずれか一項に記載の画像処理装置と、を備えた画像形成装置である。
【００１９】
請求項１３に記載の発明は、階調値毎に対して設定されている主走査方向及び副走査方向の複数の測定位置において、当該測定位置毎の濃度の測定値からなる測定値情報を前記色毎に取得する測定値情報取得工程と、前記階調値毎に複数色の比が設定されている混色比情報に基づき、前記色毎に前記階調値毎に対して設定されている目標値を補正して、前記階調値毎に対する補正目標値を前記色毎に算出する補正目標値算出工程と、前記補正目標値と前記測定値情報とに基づいて、前記階調値毎に対して設定されている主走査方向及び副走査方向の各測定位置における濃度の補正値を前記色毎に算出する補正値算出工程と、前記色変換工程により色変換処理された画像データの各画素の各色の濃度値を、前記補正値算出工程により算出された前記色毎の濃度の補正値に基づいて補正する補正工程と、を含む画像処理方法である。
【発明の効果】
【００２０】
請求項１、１３に記載の発明によれば、複数の色の混合比のバランスによる複数色により生成される混色の色味のバランスを崩すことなく、各色の画像の濃度ムラを補正することができる。
【００２１】
請求項２に記載の発明によれば、請求項１と同様の効果を得られるのは勿論のこと、混色比情報に基づいて色変換処理された画像データの各画素の各色の濃度値を、補正値算出部により算出された色毎の濃度の補正値に基づいて補正することができる。
【００２２】
請求項３に記載の発明によれば、請求項１又は２と同様の効果を得られるのは勿論のこと、画像データの各色の画素の主走査方向及び副走査方向の位置に応じて、各画素の色毎に濃度値を補正することができ、補正ムラ精度の向上を図ることができる。
【００２３】
請求項４に記載の発明によれば、請求項１から３のいずれか一項と同様の効果を得られるのは勿論のこと、色毎に、混色比情報に基づく階調値毎の目標値の調整値を階調値毎の目標値に乗算することにより、階調値毎の補正目標値を色毎に算出することができる。
【００２４】
請求項５に記載の発明によれば、請求項４と同様の効果を得られるのは勿論のこと、階調値毎に各色の目標値と最も近い階調平均値の色である基準色を基準として、混色比情報に基づいて階調値毎の目標値の調整値を色毎に算出することができる。
【００２５】
請求項６に記載の発明によれば、請求項４と同様の効果を得られるのは勿論のこと、階調値毎に予め設定された基準色を基準として、階調値毎の目標値の調整値を色毎に算出することができる。
【００２６】
請求項７に記載の発明によれば、請求項１から３のいずれか一項と同様の効果を得られるのは勿論のこと、入力部から入力された調整値情報に基づいて算出した階調値毎の目標値の調整値を階調値毎の目標値に乗算して、階調値毎の補正目標値を色毎に算出することができる。
【００２７】
請求項８に記載の発明によれば、請求項１から７のいずれか一項と同様の効果を得られるのは勿論のこと、目標値の補正後に、各色の階調値の順番と同じ順番で補正目標値を算出することができ、各階調値の補正目標値が隣接する階調値の補正目標値と同一又は逆転の関係となることを防止でき、補正目標値の階調濃度変化を滑らかにすることができる。
【００２８】
請求項９に記載の発明によれば、請求項１から８のいずれか一項と同様の効果を得られるのは勿論のこと、各色の階調値毎の測定値を、複数の主走査方向及び副走査方向の各測定位置で取得することができる。
【００２９】
請求項１０に記載の発明によれば、請求項１から９のいずれか一項と同様の効果を得られるのは勿論のこと、画像データの各色の画素の主走査方向及び副走査方向の位置に対応する濃度の補正値を、色毎に、階調値毎に設定されている主走査方向及び副走査方向の各測定位置における濃度の補正値を用いた線形補間処理を実行して算出することができる。
【００３０】
請求項１１に記載の発明によれば、請求項１から１０のいずれか一項と同様の効果を得られるのは勿論のこと、測定部により、色毎の補正チャート紙における主走査方向及び副走査方向の各測定位置のパッチ画像の濃度の測定結果を、色毎の測定値情報として得ることができる。
【００３１】
請求項１２に記載の発明によれば、請求項１から１１のいずれか一項と同様の効果を得られるのは勿論のこと、補正チャート紙を出力する画像形成部を備えた画像形成装置を実現できる。
【図面の簡単な説明】
【００３２】
【図１】画像形成装置の機能的構成図である。
【図２】補正チャート画像の例を示した図である。
【図３】補正チャート画像の例を示した図である。
【図４】画像処理装置の構成を示した図である。
【図５】混色比情報として墨版カーブ情報の例を示した図である。
【図６】補正値算出処理のフローチャートである。
【図７】測定値情報のイメージ図である。
【図８】図８（ａ）は、Ｙ（イエロー）の階調値が１２５の各主走査方向の測定平均値及び階調平均値の算出例を示した図、図８（ｂ）は、Ｙ（イエロー）の階調値が１２５の各副走査方向の測定平均値及び階調平均値の算出例を示した図である。
【図９】ＣＭＹＫ混色比設定画面の例を示した図である。
【図１０】補正値テーブルのイメージ図である。
【図１１】補正処理のフローチャートである。
【発明を実施するための形態】
【００３３】
以下、図を参照して本発明の実施の形態を詳細に説明する。
まず、構成を説明する。
図１に、画像形成装置１の機能的構成図を示す。
【００３４】
図１に示すように、画像形成装置１は、本体部１０、画像読取部２０、操作部３０、タッチパネル４０、表示部５０、プリンタ部６０等を備えて構成されている。また、本体部１０は、画像処理装置１００、制御部２００、メモリ３００、画像制御部４００、画像メモリ５００等から構成されている。
【００３５】
画像読取部２０は、光源、ＣＣＤ（Charge Coupled Device）、Ａ／Ｄ変換器等を備えている。画像読取時には、光源から原稿へ走査した光の反射光を結像してＣＣＤにより光電変換することにより原稿画像を読み取り、画像信号（アナログ信号）を生成する。その後、画像信号をＡ／Ｄ変換器によりＲＧＢ表色系のデジタルカラー画像データに変換し、本体部１０の画像処理装置１００に出力する。ここで、画像は図形や写真等のイメージに限らず、文字や記号等のキャラクタイメージ等も含む。
【００３６】
また、画像読取部２０は、同一階調値のパッチ画像が主走査方向及び副走査方向の各測定位置それぞれに配置された補正チャート画像が用紙上に形成された色毎の補正チャート紙において、補正チャート紙毎に主走査方向及び副走査方向の各測定位置のパッチ画像の濃度を測定値として測定する。そして、画像読取部２０は、当該補正チャート紙毎の測定結果を色毎の測定値情報として画像処理装置１００に出力する。即ち、画像読取部２０は、測定部として機能する。
【００３７】
操作部３０は、用紙上に画像形成の開始を指示するためのスタートキーやテンキー等の各種機能キーを備え、これら機能キーやタッチパネル４０が操作されると、対応する操作信号を本体制御部２００に出力する。
【００３８】
また、操作部３０又は表示部５０に表示される画面及びタッチパネル４０は、後述する補正値算出処理において、階調値毎に対して設定されている目標値をそれぞれ調整するための調整値を算出するための調整値情報（後述するＣＭＹＫ混合比）の入力を受け付ける入力部として機能する。
【００３９】
表示部５０は、タッチパネル４０と一体に形成されたＬＣＤ（Liquid Crystal Display）を備え、このＬＣＤ上に各種操作画面を表示させる。
【００４０】
プリンタ部６０は、本体部１０の画像処理装置１００から入力される画像データに基づいて用紙上に画像形成処理を行い出力するものである。
プリンタ部６０は、例えば電子写真方式を採用する場合には、感光ドラムを有する露光部、トナーを付着させる現像部、トナーの定着処理を行う定着部等を備えて構成されている。画像形成時には露光部において画像データに基づく静電潜像を感光体ドラムに書き込み、現像部において当該感光ドラムにトナーを付着させトナー像を形成する。このトナー像は給紙トレイから搬送された用紙上に転写される。その後、当該用紙は定着部に搬送され、定着処理されて指定された排出先のトレイへ出力される。なお、画像形成方式は電子写真方式以外の方式であってもよい。
【００４１】
また、プリンタ部６０は、同一階調値のパッチ画像が主走査方向及び副走査方向の各測定位置それぞれに配置された補正チャート画像を用紙上に形成し、当該用紙を補正チャート紙として色毎に出力する画像形成部として機能する。
【００４２】
図２、図３に、補正チャート画像の例を示す。
【００４３】
図２に示す補正チャート画像は、第１パッチ画像群Ａと、第２パッチ画像群Ｂと、第３パッチ画像群Ｃと、第４パッチ画像群Ｄとから成る。
【００４４】
第１パッチ画像群Ａと第２パッチ画像群Ｂとは、主走査方向における同一階調値のパッチ画像の濃度値を測定するための画像である。第１パッチ画像群Ａと第２パッチ画像群Ｂとは、互いに副走査方向に隣接して配置されている。第２パッチ画像群Ｂは、第１パッチ画像群Ａと同一の構成であるため説明は省略する。
【００４５】
第１パッチ画像群Ａは、同一階調値のパッチ画像Ｐが主走査方向Ｘにパッチ画像の１つ分の間をあけて配置されたパッチ列（例えば、副走査方向の位置がＹ５で、主走査方向の位置がＸ１、Ｘ３、Ｘ５、・・・、Ｘ２３のパッチ画像からなるパッチ列Ａ１）が、副走査方向Ｙにパッチ画像の１つ分をあけて複数配置されてなる。各パッチ列は、互いに異なる階調値（濃度値）である。
【００４６】
第３パッチ画像群Ｃと第４パッチ画像群Ｄとは、副走査方向における同一階調値のパッチ画像の濃度値を測定するための画像である。第３パッチ画像群Ｃと第４パッチ画像群Ｄとは、互いに主走査方向に隣接して配置されている。第４パッチ画像群Ｄは、第３パッチ画像群と同一の構成であるため、説明は省略する。
【００４７】
第３パッチ画像群Ｃは、同一階調値のパッチ画像Ｐが副走査方向Ｙにパッチ画像の１つ分の間をあけて配置されたパッチ列（例えば、主走査方向の位置がＸ２で、副走査方向の位置がＹ１、Ｙ３、Ｙ５、・・・、Ｙ３１のパッチ画像からなるパッチ列Ｃ１）が、主走査方向Ｘにパッチ画像の１つ分をあけて複数配置されてなる。各パッチ列は、互いに異なる階調値（濃度値）である。
【００４８】
図２に示すように、第１パッチ画像群Ａと同様の構成の第２パッチ画像群Ｂが、副走査方向に隣接して配置され、また、第３パッチ画像群Ｃと同様の構成の第４パッチ画像群Ｄが、主走査方向に隣接して配置されているため、同一階調値のパッチ画像が、主走査方向Ｘ及び副走査方向Ｙの各測定位置に配置された補正チャート画像が構成されることとなる。
【００４９】
例えば、１２５の階調値のパッチ画像Ｐは、副走査方向の位置がＹ５で主走査方向の位置がＸ１、Ｘ３、Ｘ５、・・・、Ｘ２３、副走査方向の位置がＹ２１で主走査方向の位置がＸ１、Ｘ３、Ｘ５、・・・、Ｘ２３、主走査方向の位置がＸ２で副走査方向の位置がＹ１、Ｙ３、Ｙ５、・・・、Ｙ３１、主走査方向の位置がＸ１４で副走査方向の位置がＹ１、Ｙ３、Ｙ５、・・・、Ｙ３１の各測定位置に配置されている。
なお、本実施の形態における測定位置としては、パッチ画像の中心座標とする。
【００５０】
図３に示す補正チャート画像は、第５パッチ画像群Ｅと第６パッチ画像群Ｆとから成る。第５パッチ画像群Ｅと第６パッチ画像群Ｆとは、互いに副走査方向に隣接して配置されている。第６パッチ画像群Ｆは、第５パッチ画像群Ｅと同一の構成であるため説明は省略する。
【００５１】
第５パッチ画像群Ｅは、副走査方向Ｙに隣接して配置された複数のパッチ列（例えば、副走査方向の位置がＹ１で主走査方向の位置がＸ１〜Ｘ２０のパッチ画像からなるパッチ列Ｅ１）から構成される。各パッチ列は、同一階調値のパッチ画像Ｐが主走査方向Ｘに隣接して複数配置されてなる。また、各パッチ列は、隣接するパッチ列とは異なる階調値（濃度値）であり、用紙の搬送方向（副走査方向Ｙ）に沿って、各パッチ列の濃度が順次濃く又は薄くなるように配列されている。
【００５２】
図３に示すように、第５パッチ画像群Ｅと同様の構成の第６パッチ画像群Ｆが、副走査方向Ｙに隣接して配置されているため、同一階調値のパッチ画像が、主走査方向Ｘ及び副走査方向Ｙの各測定位置に配置された補正チャート画像が構成されることとなる。
例えば、１２５の階調値のパッチ画像Ｐは、主走査方向の位置がＸ１〜Ｘ２０で副走査方向の位置がＹ１、主走査方向の位置がＸ１〜Ｘ２０で副走査方向の位置がＹ１３の各測定位置に配置されている。
【００５３】
次に、本体部１０の各部について説明する。
本体部１０は、図１に示すように画像処理装置１００、制御部２００、メモリ３００、画像制御部４００、画像メモリ５００等を備えて構成されている。
【００５４】
制御部２００は、ＣＰＵ（Central Processing Unit）、ＲＡＭ（Random Access Memory）等から構成され、メモリ３００に記憶されている各種制御プログラムに従って画像形成装置１の各部の動作を統括制御する。また、各種演算を行う。例えば、操作部３０から入力される操作信号に従って、コピー、プリンタ、スキャナのモードを切り替え、画像読取部２０による原稿の読み取り、画像メモリ５００への保存、プリンタ部６０への画像データの出力等の処理制御を行う。
【００５５】
また、制御部２００は、タッチパネル４０又は操作部３０の各種キーにより受け付けられた調整値情報（後述するＣＭＹＫ混合比）を画像処理装置１００に出力する。
【００５６】
メモリ３００は、各種プログラムの他、プログラムの実行に必要なファイルやデータ等を記憶している。
【００５７】
画像制御部４００は、制御部２００の制御に従って画像メモリ５００に対する画像データの入出力を制御する。
【００５８】
画像メモリ５００は、ＤＲＡＭ（Dynamic Random Access Memory）、ハードディスク等から構成されており、圧縮メモリ領域、ページメモリ領域から構成されている。圧縮メモリ領域は画像処理装置１００により処理された画像データを保存するための領域であり、ページメモリ領域は画像形成対象の画像データを画像形成前に一時的に格納するための領域である。
【００５９】
次に、画像処理装置１００について説明する。
図４に、本実施の形態における画像処理装置１００の構成を示す。
図４に示すように、画像処理装置１００は、色変換部１１０、濃度ムラ補正部１２０等を備えている。本実施の形態の画像処理装置１００は、制御部２００からの指示に従って、後述する補正値算出処理及び補正処理を実行する。
【００６０】
色変換部１１０は、混色比情報１１０ａを有する。色変換部１１０は、当該混色比情報１１０ａに基づいて、入力されるＲＧＢの画像データをＣＭＹＫの画像データに変換する色変換処理を行ない、変換したＣＭＹＫの画像データを濃度ムラ補正部１２０の補正部１２４に出力する。
【００６１】
混色比情報は、予め設定された複数の階調値において、階調値毎に複数の色（ＣＭＹＫ）の比が設定されているものであり、グレーバランス情報又は墨版カーブ情報等と称される。
図５に、混色比情報として墨版カーブ情報の例を示す。
図５に示す墨版カーブ情報は、横軸が階調値、縦軸が各色の最大出力階調濃度値に対する比［％］である。例えば、階調値が７２の場合には、Ｃ（シアン）が７５％、Ｍ（マゼンタ）が７０％、Ｙ（イエロー）が６５％、Ｋ（ブラック）が３０％であることが設定されている。
【００６２】
濃度ムラ補正部１２０は、測定値情報取得部１２１、補正目標値算出部１２２、補正値算出部１２３、補正部１２４、記憶部１２５等を備えている。
なお、測定値情報取得部１２１、補正目標値算出部１２２、補正値算出部１２３、補正部１２４は、ソフトウェア又はハードウェアで構成されている。
【００６３】
測定値情報取得部１２１は、画像読取部２０又は外部測定装置から制御部２００を介して入力される測定値情報を色毎に取得し、取得した色毎の測定値情報を補正目標値算出部１２２、補正値算出部１２３に出力する。
【００６４】
補正目標値算出部１２２は、色毎の測定値情報と混色比情報とに基づき、各色の階調値毎に対して設定されている目標値を補正して、階調値毎に対する補正目標値を色毎に算出し、色毎に算出した階調値毎に対する補正目標値を補正値算出部１２３に出力する。
【００６５】
補正値算出部１２３は、補正目標値算出部１２２から入力された色毎の階調値毎に対する補正目標値と各色の階調値毎の測定値情報とに基づいて、階調値毎に対して設定されている主走査方向及び副走査方向の各測定位置における濃度の補正値を色毎に算出し、階調値毎の補正値テーブルを色毎に生成して記憶部１２５に保存する。
【００６６】
補正部１２４は、色変換部１１０により色変換処理された画像データの各画素の各色の濃度値を、記憶部１２５に保存されている各色の階調値毎の補正値テーブルに基づいて補正し、補正した画像データをプリンタ部６０に出力する。
【００６７】
記憶部１２５は、不揮発性の記録媒体であり、目標値情報１２５ａや各色の階調値毎の補正値テーブル１２５ｂを記憶する記憶部として機能する。目標値情報１２５ａは、各色の階調値毎に対して設定されている目標値であり、各色の階調値毎に予め定められた濃度値の情報である。
【００６８】
次に、本実施の形態の動作を説明する。
図６に、本実施の形態における補正値算出処理のフローチャートを示す。
本処理は、制御部２００からの指示に応じて、画像処理装置１００の各部が協働して実行されるものである。
【００６９】
まず、操作部３０又はタッチパネル４０を介して補正値算出処理の指示が入力されると、各色の補正チャート紙がプリンタ部６０により出力される（ステップＳ１）。
なお、本実施の形態で用いる各色の補正チャート紙は、図２に示した補正チャート画像が色毎に用紙上に形成されたものを用いる。
【００７０】
そして、各色の補正チャート紙において、補正チャート紙毎に、主走査方向及び副走査方向の各測定位置のパッチ画像の濃度が測定値として測定され（ステップＳ２）、当該測定結果が測定値情報として色毎に測定値情報取得部１２１により取得される（ステップＳ３）。
【００７１】
ステップＳ２での補正チャート紙の測定は、本実施の形態においては、画像読取部２０により各色の補正チャート紙の画像データが読み取られることにより得られるものとするが、これに限らない。例えば、補正チャート紙を測定して補正値情報を生成する専用の測定装置を用いてもよい。この測定装置の例としては、例えば、ｉ１ｉＳｉｓ（アイワン・アイシス）（エックスライト株式会社製）、ｉ１ＸＴｒｅｍｅ（アイワン・エクストリーム）（エックスライト株式会社製）等を挙げることができる。
【００７２】
図７に、測定値情報のイメージ図を示す。
図７に示す測定値情報のイメージ図は、図２に示す補正チャート画像が形成された補正チャート紙を用いた場合において、色がＹ（イエロー）、階調値が１２５の測定値情報の例である。図２に示す□（矩形）で囲まれたパッチ画像が、色がイエローで階調値が１２５のパッチ画像とする。この場合、色がＹ（イエロー）で階調値が１２５のパッチ画像の測定位置は、副走査方向の位置がＹ５で主走査方向の位置がＸ１、Ｘ３、Ｘ５、・・・、Ｘ２３、副走査方向の位置がＹ２１で主走査方向の位置がＸ１、Ｘ３、Ｘ５、・・・、Ｘ２３、主走査方向の位置がＸ２で副走査方向の位置がＹ１、Ｙ３、Ｙ５、・・・、Ｙ３１像、主走査方向の位置がＸ１４で副走査方向の位置がＹ１、Ｙ３、Ｙ５、・・・、Ｙ３１となる。この各測定位置の濃度の測定値が、色がＹ（イエロー）で階調値が１２５の測定値情報として取得される。
なお、測定値が得られない位置（例えば、主走査方向の位置がＸ１、副走査方向の位置がＹ１）においては、測定値を「−」で示している。
【００７３】
階調値毎の測定値情報が色毎に取得されると、補正目標値算出部１２２では、階調値毎に各主走査方向の測定平均値が色毎に算出され（ステップＳ４ａ）、また、階調値毎に各副走査方向の測定平均値が色毎に算出される（ステップＳ４ｂ）。
【００７４】
そして、補正目標値算出部１２２において、階調値毎に各主走査方向の測定平均値の平均値が、階調値毎の主走査方向の階調平均値として色毎に算出される（ステップＳ５ａ）。また、階調値毎に各副走査方向の測定平均値の平均値が、階調値毎の副走査方向の階調平均値として色毎に算出される（ステップＳ５ｂ）。
【００７５】
補正目標値算出部１２２において、階調値毎に主走査方向の階調平均値と副走査方向の階調平均値との平均値が算出され、当該平均値が階調値毎の階調平均値として色毎に算出される（ステップＳ６）。
【００７６】
図８（ａ）に、色がＹ（イエロー）で階調値が１２５の各主走査方向の測定平均値及び階調平均値の算出例を示し、図８（ｂ）に、色がＹ（イエロー）で階調値が１２５の各副走査方向の測定平均値及び階調平均値の算出例を示す。
【００７７】
図８（ａ）に示すように、第１パッチ画像群Ａの副走査座標がＹ５の主走査方向の各測定位置（Ｘ１、Ｘ３、Ｘ５、・・・、Ｘ２３）での測定値の平均値が測定平均値として算出される。同様に、第２パッチ画像群Ｂの副走査座標がＹ２１の主走査方向の各測定位置（Ｘ１、Ｘ３、Ｘ５、・・・、Ｘ２３）での測定値の平均値が測定平均値として算出される。そして、第１パッチ画像群Ａの測定平均値と第２パッチ画像群Ｂの測定平均値との平均値が、色がＹ（イエロー）で階調値が１２５の主走査方向の階調平均値として算出される。
【００７８】
また、図８（ｂ）に示すように、第３パッチ画像群Ｃの主走査座標がＸ２の副走査方向の各測定位置（Ｙ１、Ｙ３、Ｙ５、・・・、Ｙ３１）での測定値の平均値が測定平均値として算出される。同様に、第４パッチ画像群Ｄの主走査座標がＸ１４の副走査方向の各測定位置（Ｙ１、Ｙ３、Ｙ５、・・・、Ｙ３１）での測定値の平均値が測定平均値として算出される。そして、第３パッチ画像群Ｃの測定平均値と第４パッチ画像群Ｄの測定平均値との平均値が、色がＹ（イエロー）で階調値が１２５の副走査方向の階調平均値として算出される。
【００７９】
そして、色がＹ（イエロー）で階調値が１２５の主走査方向の階調平均値と副走査方向の階調平均値との平均値が、色がＹ（イエロー）で階調値が１２５の階調平均値として算出される。他の色、他の階調値でも同様に階調平均値が算出される。
【００８０】
階調値毎の階調平均値が色毎に算出されると、補正目標値算出部１２２において、階調値毎に基準色が選出される（ステップＳ７）。
【００８１】
ステップＳ７では、補正目標値算出部１２２は、例えば、階調値毎に、各階調値の目標値と最も近い階調平均値の色を基準色として決定して選出したり、階調値毎に予め設定された色を基準色として選出したりする。
【００８２】
補正目標値算出部１２２は、階調値に各色の比（Ｃ（シアン）：Ｍ（マゼンタ）：Ｙ（イエロー）：Ｋ（ブラック））（ＣＭＹＫ混合比）を算出する（ステップＳ８）。
【００８３】
ステップＳ８では、補正目標値算出部１２２は、色変換部１１０から混色比情報１１０ａを取得し、取得した混色比情報に基づいて、階調値毎のＣＭＹＫ混色比を算出する。例えば、混色比情報として図５に示す墨版カーブ情報を用いた場合、階調値が７２の場合には、Ｃ（シアン）が７５％、Ｍ（マゼンタ）が７０％、Ｙ（イエロー）が６５％、Ｋ（ブラック）が３０％である。このことから、階調値が７２のＣＭＹＫ混色比は、Ｃ：Ｍ：Ｙ：Ｋ＝１５：１４：１３：６となる。
【００８４】
また、ステップＳ８では、予めＣＭＹＫ混色比設定画面等から入力されたＣＭＹＫ混色比が記憶部１２５内に記憶されている場合には、当該記憶されているＣＭＹＫ混色比を階調値毎のＣＭＹＫ混色比として用いる。
【００８５】
図９に、ＣＭＹＫ混色比設定画面の例を示す。
図９に示すＣＭＹＫ混色比設定画面Ｇ１には、登録データ選択領域Ｅ１０、ＣＭＹＫ混合比表示領域Ｅ２０、登録ボタンＢ１等が設けられている。
【００８６】
登録データ選択領域Ｅ１０には、複数の登録データ選択ボタンが設けられている。この登録データ選択ボタンのいずれかが押下されると、押下された登録データ選択ボタンと対応付けられて記憶されているＣＭＹＫ混合比が記憶部１２５から読み出され、ＣＭＹＫ混合比表示領域Ｅ２０に表示される。
【００８７】
ＣＭＹＫ混合比表示領域Ｅ２０には、押下された登録データ選択ボタンに対応するＣ（シアン）、Ｍ（マゼンタ）、Ｙ（イエロー）、Ｋ（ブラック）の比がそれぞれ表示される領域Ｅｃ、Ｅｍ、Ｅｙ、Ｅｋと、各色を選択可能なボタンＢｃ、Ｂｍ、Ｂｙ、Ｂｋが設けられている。各色のいずれかを選択するボタンが押下され、テンキー等により数値が入力されると、当該入力された数値が当該選択されたボタンの色に対応する比として表示される。
【００８８】
登録ボタンＢ１が押下されると、ＣＭＹＫ混合比表示領域Ｅ２０に表示されているＣＭＹＫ混合比が、選択されている登録データ選択ボタンに対応付けられて、記憶部１２５に記憶される。
【００８９】
補正目標値算出部１２２により、階調値毎の基準色と階調値毎のＣＭＹＫ混合比とに基づいて、階調値毎に対して設定されている目標値をそれぞれ調整するための調整値（目標値調整比）が算出される（ステップＳ９）。
【００９０】
ステップＳ９では、例えば、階調値が７２において、基準色がＹ（イエロー）で、ＣＭＹＫ混色比がＣ：Ｍ：Ｙ：Ｋ＝１５：１４：１３：６の場合、Ｙの比の値を１（基準）として、Ｃ：Ｍ：Ｙ：Ｋ＝１：１４／１５：１３／１５：２／５が目標値調整比として算出される。この階調値毎の目標調整比において、各色の比が各色の各階調値における調整値となる。
【００９１】
従って、ＣＭＹＫ混色比設定画面は、階調値毎に対して設定されている目標値それぞれを調整するための調整値を色毎に算出するための調整値情報（ＣＭＹＫ混合比）の入力を受け付ける入力部として機能する。
【００９２】
補正目標値算出部１２２により、記憶部１２５に記憶されている目標値情報から階調値毎の目標値が色毎に読み出され、当該階調値毎の目標値に調整値が色毎に乗算され、階調値毎の補正目標値が色毎に算出される（ステップＳ１０）。
【００９３】
ステップＳ１０では、例えば、色がＹ（イエロー）で階調値が７２の場合において、目標値が７２、目標値調整比がＣ：Ｍ：Ｙ：Ｋ＝１：１４／１５：１３／１５：２／５である場合には、色がＹ（イエロー）で階調値が７２の補正目標値は、目標値７２に調整値１３／１５が乗算された値の６２．４となる。
【００９４】
階調値毎に対する補正目標値が色毎に算出されると、補正目標値算出部１２２により、補正目標値チェックが色毎に行なわれる（ステップＳ１１）。
【００９５】
ステップＳ１１では、以下の処理が色毎に実行される。
まず、算出された階調値毎の補正目標値が階調値順に配列される。
そして、各階調値の補正目標値と隣接する前後の階調値順の階調値の補正目標値との関係が、同値又は逆関係となるか否かが判別される。
各階調値の補正目標値と隣接する前後の階調値順の階調値の補正目標値との関係が、同値又は逆関係となる場合には、同値又は逆関係となる隣接する階調値との階調値差が１階調値以上となるように、各階調値の補正目標値に補正が行われる。
【００９６】
ステップＳ１１後、算出された各色の階調値毎の補正目標値は、補正値算出部１２３に出力される。補正値算出部１２３では、各色の測定値情報において、階調値毎の各測定位置に対する補正値が算出され、当該算出された階調値毎の補正値が補正値テーブルとして色毎に記憶部１２５に記憶され（ステップＳ１２）、本処理が終了される。
【００９７】
ステップＳ１２では、階調値毎の各測定位置における濃度の測定値と階調値毎の補正目標値との差分値とが色毎に算出される。色毎に算出された階調値毎の当該差分値が、階調値毎の各測定位置における濃度に対する補正値となる。
【００９８】
図１０に、補正値テーブルのイメージ図を示す。
図１０に示す補正値テーブルのイメージ図は、図７に示す色がＹ（イエロー）で階調値が１２５の測定値情報と、色がＹ（イエロー）で階調値が１２５の補正目標値が１２６である場合の例である。
図１０に示すように、色がＹ（イエロー）で階調値が１２５の各測定位置において、測定値と補正目標値との差分が補正値として算出される。例えば、主走査方向の位置がＸ２で副走査方向の位置がＹ１の測定位置では、図７に示すように測定値が１２６であることから、補正目標値との差分値が０となり、補正値が０として算出される。
なお、測定値が得られていない位置（例えば、主走査方向の位置がＸ１、副走査方向の位置がＹ１）においては、測定値がないため測定値と補正目標値とからは補正値を算出できず、補正値を「−」で示している。
【００９９】
図１１に、本実施の形態における補正処理のフローチャートを示す。
本処理は、制御部２００からの指示に応じて、画像処理装置１００の各部が協働して実行されるものである。
【０１００】
まず、色変換部１１０に画像読取部２０からＲＧＢの画像データが入力されることにより取得されると（ステップＳ２１）、色変換部１１０において、混色比情報に基づき、ＲＧＢの画像データがＣＭＹＫの画像データに色変換される色変換処理が実行される（ステップＳ２２）。
【０１０１】
そして、ＣＭＹＫの画像データが補正部１２４に入力される。補正部１２４に入力された画像データの各画素の画素値が取得される（ステップＳ２３）。
【０１０２】
補正部１２４において、取得した画像データの各画素の画素値から、各画素の主走査方向及び副走査方向の位置、色、濃度値（階調値）が取得される（ステップＳ２４）。
【０１０３】
各画素の色及び濃度値（階調値）に対応する色及び階調値の補正値テーブルが参照され、当該画素の主走査方向及び副走査方向の位置に対応する補正値が読み出される（ステップＳ２５）。
【０１０４】
ステップＳ２５において、各画素の主走査方向及び副走査方向の位置に対応する色の濃度値（階調値）の補正値が補正値テーブルにない場合には、当該補正値がない色及び濃度値（階調値）に対応する補正値テーブルの各測定位置における各色の濃度の補正値を用いた線形補間処理が実行され、補正値が算出される。
【０１０５】
補正部１２４において、画像データの各画素の各色の階調値に、補正値テーブルから読み出した又は算出した補正値がそれぞれ加算される（ステップＳ２６）。そして、各画素の各色の階調値に補正値が加算された画像データが、補正済み画像データとしてプリンタ部６０に出力され（ステップＳ２７）、本処理が終了される。
【０１０６】
以上のように、本実施の形態によれば、予め設定された複数の階調値において、当該階調値毎に複数色の比が設定されている混色比情報に基づいて、階調値毎に対して設定されている目標値が色毎に補正された各色の階調値毎に対する補正目標値と、階調値毎に設定されている主走査方向及び副走査方向の複数の測定位置における測定位置毎の濃度の測定値からなる色毎の測定値情報と、に基づいて、階調値毎に対して設定されている主走査方向及び副走査方向の各測定位置における濃度の補正値を色毎に算出し、当該補正値を用いて画像データの各色の画素の濃度値を補正することができる。従って、複数の色の混合比のバランスによる複数色により生成される混色の色味のバランスを崩すことなく、各色の画像の濃度ムラを補正することができる。
【０１０７】
特に、階調値毎の補正目標値と階調値毎に対して設定されている主走査方向及び副走査方向の各測定位置における濃度の測定値との差分値を色毎に算出し、当該色毎の差分値を、階調値毎に対して設定されている主走査方向及び副走査方向の各測定位置における前記色毎の濃度の補正値として算出することができる。そのため、画像データの各色の画素の主走査方向及び副走査方向の位置に応じて、各画素の色毎に濃度値を補正することができ、補正ムラ精度の向上を図ることができる。
【０１０８】
また、  色毎に、混色比情報に基づく階調値毎の目標値の調整値を階調値毎の目標値に乗算することにより、階調値毎の補正目標値を色毎に算出することができる。
この目標値の調整値は、階調値毎に各色の目標値と最も近い階調平均値の色である基準色を基準として混色比情報から算出、又は、階調値毎に予め設定された基準色を基準として、階調値毎の目標値の調整値を色毎に算出することができる。
【０１０９】
また、ＣＭＹＫ混色比設定画面から入力された調整値情報（ＣＭＹＫ混合比）に基づいて算出した階調値毎の目標値の調整値を階調値毎の目標値に乗算して、階調値毎の補正目標値を色毎に算出することができる。従って、ユーザの所望の色味のバランスで各色の画像の濃度ムラを補正することができる。
【０１１０】
更に、階調値毎の補正目標値において、隣接する階調値の補正目標値との関係が、同一又は逆転関係となる場合、１階調値以上の差が発生するように補正目標値に補正を行なうことができる。そのため、目標値の補正後に、各色の階調値の順番と同じ順番で補正目標値を算出することができ、各階調値の補正目標値が隣接する階調値の補正目標値と同一又は逆転の関係となることを防止でき、補正目標値の階調濃度変化を滑らかにすることができる。
【０１１１】
また、同一階調値のパッチ画像が主走査方向及び副走査方向の各測定位置それぞれに配置された補正チャート画像が用紙上に形成された色毎の補正チャート紙において、補正チャート紙毎に主走査方向及び副走査方向の各測定位置のパッチ画像の濃度が測定値として測定されたものを測定値情報として取得できる。そのため、各色の階調値毎の測定値を、複数の主走査方向及び副走査方向の各測定位置で取得することができる。
【０１１２】
画像データの各色の画素の主走査方向及び副走査方向の位置に対応する濃度の補正値を、色毎に、階調値毎に設定されている主走査方向及び副走査方向の各測定位置における濃度の補正値を用いた線形補間処理を実行して算出することができる。
【０１１３】
画像読取部により、補正チャート紙の測定専用の装置を用いずとも、色毎の補正チャート紙における主走査方向及び副走査方向の各測定位置のパッチ画像の濃度の測定結果を、色毎の測定値情報として得ることができる。またプリンタ部により、補正チャート紙を出力することができる。
【０１１４】
また、本発明は、上記実施の形態の内容に限定されるものではなく、本発明の主旨を逸脱しない範囲で適宜変更可能である。
【符号の説明】
【０１１５】
１  画像形成装置
１０  本体部
２０  画像読取部
３０  操作部
４０  タッチパネル
５０  表示部
６０  プリンタ部
１００  画像処理装置
１１０  色変換部
１１０ａ  混色比情報
１２０  濃度ムラ補正部
１２１  測定値情報取得部
１２２  補正目標値算出部
１２３  補正値算出部
１２４  補正部
１２５  記憶部
１２５ａ  目標値情報
１２５ｂ  補正値テーブル
２００  制御部
３００  メモリ
４００  画像制御部
５００  画像メモリ
Ａ  第１パッチ画像群
Ａ１  パッチ列
Ｂ  第２パッチ画像群
Ｂ１  登録ボタン
Ｃ  第３パッチ画像群
Ｃ１  パッチ列
Ｄ  第４パッチ画像群
Ｅ  第５パッチ画像群
Ｅ１  パッチ列
Ｆ  第６パッチ画像群
Ｅ１０  登録データ選択領域
Ｅ２０  ＣＭＹＫ混合比表示領域
Ｐ  パッチ画像
Ｘ  主走査方向
Ｙ  副走査方向
【図１】
2010256764.tif 000003
【図２】
2010256764.tif 000004
【図３】
2010256764.tif 000005
【図４】
2010256764.tif 000006
【図５】
2010256764.tif 000007
【図６】
2010256764.tif 000008
【図７】
2010256764.tif 000009
【図８】
2010256764.tif 000010
【図９】
2010256764.tif 000011
【図１０】
2010256764.tif 000012
【図１１】
2010256764.tif 000013